(57)【要約】【課題】高周波回路をシールドするシールド体を備えていても、当該端末内部のレイアウトの自由度が向上する電子機器を提供する。【解決手段】高周波回路６１を有する回路基板３１と、高周波回路６１をシールドするシールドケース６２と、一方に電極部６３ｂ、他方に集音部６３ａを有し、回路基板３１の高周波回路６１が設けられた側に配設されたマイク６３と、を備え、シールドケース６２には、集音部６３ａ側から電極側６３ｂを見たときのマイク６３の幅よりも幅の小さい開口部８１が設けられ、マイク６３は、集音部６３ａ側に配置されたシールドケース６２と、電極６３ｂ側に配置された回路基板３１とに挟まれて、開口部８１に固定されている。【選択図】図６
2006067524.tif 000002
【特許請求の範囲】
【請求項１】
高周波回路を有する基板と、
前記高周波回路をシールドするシールド体と、
一方に電極部、他方に集音部又は放音部を有し、前記基板の前記高周波回路が設けられた側の面に配設された電気／音響変換手段と、を備え、
前記シールド体には、前記集音部又は放音部側から前記電極部側を見たときの前記電気／音響変換手段の幅よりも幅の小さいシールド体開口部が設けられ、前記電気／音響変換手段は、前記集音部又は放音部側に配置された前記シールド体と、前記電極側に配置された前記基板とに挟まれて、前記シールド体開口部に固定されている
ことを特徴とする電子機器。
【請求項２】
前記シールド体は、前記電気／音響変換手段を囲む壁部と、前記壁部に隣接して設けられたネジボスとを備え、
前記基板を貫通するネジが前記ネジボスに嵌め込まれ、前記基板と前記シールド体とが互いに固定されている
ことを特徴とする請求項１に記載の電子機器。
【請求項３】
前記シールド体には、前記電気／音響変換手段が嵌め込まれるホルダが設けられ、
前記電極部は、前記基板から見て、中心の位置及び当該中心の位置から所定の距離をおいた位置にそれぞれ第１、第２の接点を有し、
前記基板は、前記ホルダと対向する位置の中心に第３の接点を、当該第３の接点を中心とし、前記所定の距離を半径とする円周上に第４の接点をそれぞれ有する
ことを特徴とする請求項１又は２に記載の電子機器。
【請求項４】
前記シールド体の前記基板とは反対側には、押圧スイッチが配置されたフレキシブルプリント配線板が設けられ、
前記配線板は、前記シールド体開口部に対向する位置に配線板開口部が設けられている
ことを特徴とする請求項１〜３のいずれか一に記載の電子機器。
【請求項５】
前記押圧スイッチ上に配置され、光が透過可能な押圧部と、
前記配線板に配置された複数の発光素子と、を備え、
前記押圧スイッチ及び前記押圧部は、少なくとも２列になるように複数配列され、
前記発光素子は、前記２つの列の間で、かつ、前記２列のうち何れかの列に沿って連続する押圧スイッチの間に、少なくとも一つ置きに配列され、
前記シールド開口部は、前記発光素子の非配置位置の何れかに設けられている
ことを特徴とする請求項４に記載の電子機器。
【請求項６】
前記基板、前記シールド体及び前記配線板を、配線板側に配置された上部ケース及び基板側に配置された下部ケースで挟むようにして収容する筐体と、
前記配線板上に配置され、光が透過する押圧部を前記押圧スイッチ上に有すると共に前記押圧部への光が透過するキーシートと、
前記配線板と前記キーシートとの間に配置された発光素子と、を備え、
前記キーシートには、前記配線板開口部上の位置にキーシート開口部が設けられ、
前記上部ケースには、前記キーシート開口部上に開口する上部ケース開口部と、当該上部ケース開口部の縁部から前記筐体内側に筒状に延び、前記キーシート開口部に挿入される壁部とが設けられる
ことを特徴とする請求項４に記載の電子機器。
【請求項７】
前記配線板の導通用であって、前記基板と前記シールド体との間に配置された基板側接続部と、
前記配線板の端部に形成された舌片に設けられ、前記舌片を折り返して前記基板側接続部に接続される配線板側接続部と、を備える
ことを特徴とする請求項４〜６のいずれか一に記載の電子機器。
【請求項８】
前記配線板を介して制御される電子部品であって、前記配線板の端部に形成された舌片と接続され、前記舌片を折り返して前記基板の前記高周波回路が設けられる側の裏側へ配置される電子部品を備える
ことを特徴とする請求項４〜６のいずれか一に記載の電子機器。
【請求項９】
前記基板及び前記シールド体を収容する筐体と、
前記基板の前記シールド体とは反対側の端部に設けられた給電端子と、
前記基板の前記給電端子が設けられた側が面する方向から前記シールド体の外側の方向まで面するように延びる曲面形状に形成され、前記シールド体の外側で前記筐体内部に配置され、前記給電端子から給電されるアンテナ素子と、を備える
ことを特徴とする請求項１〜８のいずれか一に記載の電子機器。
【請求項１０】
前記基板及び前記シールド体を上部ケース及び下部ケースで挟むようにして収容する筐体を備え、
前記上部ケース又は前記下部ケースには、前記上部ケースと前記下部ケースとをネジ止めするためのネジボスが設けられ、
前記基板及びシールドケースには、前記ネジボスが嵌め込まれる孔部又は切り欠き部が設けられている
ことを特徴とする請求項１〜９のいずれか一に記載の電子機器。
【発明の詳細な説明】
【技術分野】
【０００１】
本発明は、携帯電話機等の電子機器に関し、より詳細には高周波回路をシールドするシールド体を備えた電子機器に関する。
【背景技術】
【０００２】
携帯電話機等の電子機器においては部品レイアウトが小型化に関して重要である。また、このような電子機器には所定の周波数の電波を生成するための高周波回路と、当該高周波回路からの不要な電波等を遮断するためのシールド体とが設けられている。シールド体は比較的大きな部品であり、シールド体の配置等は電子機器の小型化に関して重要である。
【０００３】
このシールド体を端末の小型化に利用した技術として、シールドケースをバッテリーの補強材に兼用する技術がある（特許文献１参照）。
【特許文献１】特開２００２−２６１８９４号公報
【発明の開示】
【発明が解決しようとする課題】
【０００４】
しかし、特許文献１では、シールド体を補強材に兼用させて、当該補強材のスペースだけ小型化する技術については開示されているものの、シールド体を他の部品のレイアウトに利用する技術については開示されていない。
【０００５】
本発明の目的は、高周波回路をシールドするシールド体を備えていても、機器内部のレイアウトの自由度が向上する電子機器を提供することにある。
【課題を解決するための手段】
【０００６】
本発明の電子機器は、高周波回路を有する基板と、前記高周波回路をシールドするシールド体と、一方に電極部、他方に集音部又は放音部を有し、前記基板の前記高周波回路が設けられた側の面に配設された電気／音響変換手段と、を備え、前記シールド体には、前記集音部又は放音部側から前記電極部側を見たときの前記電気／音響変換手段の幅よりも幅の小さいシールド体開口部が設けられ、前記電気／音響変換手段は、前記集音部又は放音部側に配置された前記シールド体と、前記電極側に配置された前記基板とに挟まれて、前記シールド体開口部に固定されている。
【０００７】
好適には、前記シールド体は、前記電気／音響変換手段を囲む壁部と、前記壁部に隣接して設けられたネジボスとを備え、前記基板を貫通するネジが前記ネジボスに嵌め込まれ、前記基板と前記シールド体とが互いに固定されている。
【０００８】
好適には、前記シールド体には、前記電気／音響変換手段が嵌め込まれるホルダが設けられ、前記電極部は、前記基板から見て、中心の位置及び当該中心の位置から所定の距離をおいた位置にそれぞれ第１、第２の接点を有し、前記基板は、前記ホルダと対向する位置の中心に第３の接点を、当該第３の接点を中心とし、前記所定の距離を半径とする円周上に第４の接点をそれぞれ有する。
【０００９】
好適には、前記シールド体の前記基板とは反対側には、押圧スイッチが配置されたフレキシブルプリント配線板が設けられ、前記配線板は、前記シールド体開口部に対向する位置に配線板開口部が設けられている。
【００１０】
好適には、前記押圧スイッチ上に配置され、光が透過可能な押圧部と、前記配線板に配置された複数の発光素子と、を備え、前記押圧スイッチ及び前記押圧部は、少なくとも２列になるように複数配列され、前記発光素子は、前記２つの列の間で、かつ、前記２列のうち何れかの列に沿って連続する押圧スイッチの間に、少なくとも一つ置きに配列され、前記シールド体開口部は、前記発光素子の非配置位置の何れかに設けられている。
【００１１】
好適には、前記基板、前記シールド体及び前記配線板を、配線板側に配置された上部ケース及び基板側に配置された下部ケースで挟むようにして収容する筐体と、前記配線板上に配置され、光が透過する押圧部を前記押圧スイッチ上に有すると共に前記押圧部への光が透過するキーシートと、前記配線板と前記キーシートとの間に配置された発光素子と、を備え、前記キーシートには、前記配線板開口部上の位置にキーシート開口部が設けられ、前記上部ケースには、前記キーシート開口部上に開口する上部ケース開口部と、当該上部ケース開口部の縁部から前記筐体内側に筒状に延び、前記キーシート開口部に挿入される壁部とが設けられる。
【００１２】
好適には、前記配線板の導通用であって、前記基板と前記シールド体との間に配置された基板側接続部と、前記配線板の端部に形成された舌片に設けられ、前記舌片を折り返して前記基板側接続部に接続される配線板側接続部と、を備える。
【００１３】
好適には、前記配線板を介して制御される電子部品であって、前記配線板の端部に形成された舌片と接続され、前記舌片を折り返して前記基板の前記高周波回路が設けられる側の裏側へ配置される電子部品を備える。
【００１４】
好適には、前記基板及び前記シールド体を収容する筐体と、前記基板の前記シールド体とは反対側の端部に設けられた給電端子と、前記基板の前記給電端子が設けられた側が面する方向から前記シールド体の外側の方向まで面するように延びる曲面形状に形成され、前記シールド体の外側で前記筐体内部に配置され、前記給電端子から給電されるアンテナ素子と、を備える。
【００１５】
好適には、前記基板及び前記シールド体を上部ケース及び下部ケースで挟むようにして収容する筐体を備え、前記上部ケース又は前記下部ケースには、前記上部ケースと前記下部ケースとをネジ止めするためのネジボスが設けられ、前記基板及びシールドケースには、前記ネジボスが嵌め込まれる孔部又は切り欠き部が設けられている。
【発明の効果】
【００１６】
本発明の電子機器によれば、機器内部のレイアウトの自由度が向上する。
【発明を実施するための最良の形態】
【００１７】
図１及び図２は、本発明の無線通信端末としての携帯電話機の一実施形態を示す外観斜視図である。図１は開状態を、図２は閉状態を示している。
【００１８】
携帯電話機１は、第１筐体（第１筐体）２と、第２筐体（第２筐体）３とを備え、第１筐体２の端部２ａと、第２筐体３の端部３ａとをヒンジ部４により回動可能に連結することにより、開閉可能に構成されている。
【００１９】
第１筐体２及び第２筐体３は、閉状態で互いに対向する面（正面）側の正面側ケース２ｃ、３ｃと、その背面側の背面側ケース２ｄ、３ｄとをそれぞれ備えている。これら正面側、背面側ケース２ｃ、３ｃ、２ｄ、３ｄは、閉状態で一方の筐体側から他方の筐体側を見たときに、互いの輪郭が略一致するように形成されており、第１筐体２及び第２筐体３の連結される側と反対側（開閉側）の端部２ｂ、３ｂの位置も閉状態で互いに一致する。
【００２０】
第１筐体２は正面に操作部１１を備えている。操作部１１には、テンキーボタン１１ａ等の携帯電話機１を操作するための各種ボタン（押圧部）が配置されている。また、操作部１１には、集音するための開口部１２がテンキーボタン１１ａの配置領域に設けられている。なお、開口部１２には、第１筐体２内へ塵が侵入するのを防止する等の目的で保護膜が設けられていてもよい。
【００２１】
第２筐体３には、正面に画像を表示するメイン表示部（第１表示部）２１と、その背面に画像を表示するサブ表示部（第２表示部）２２とが、それぞれ各面に沿って設けられている。サブ表示部２２を露出させるための背面側ケース３ｄの開口窓は円形に形成されている。メイン表示部２１及びサブ表示部２２は、例えば透過型又は反射型の液晶表示ディスプレイによって構成される。なお、有機ＥＬ等、他のデバイスを用いてもよい。
【００２２】
また、第２筐体３の背面には、サブ表示部２２の動作を制御するための押しボタン（押圧部材）２３が設けられる。押しボタン２３は、例えば樹脂や硬質のゴムにより構成され、背面側ケース３ｄのサブ表示部２２配置面に対して垂直方向に移動可能に配置される。
【００２３】
図３及び図４は、それぞれ携帯電話機１の内部構成を閉状態で示す斜視図及び平面図である。なお、図３及び図４はいずれも構成要素の一部を省略して図示している。
【００２４】
第１筐体２の内部には、高周波回路等の各種回路が配置される回路基板３１と、電波を送受信するためのアンテナ部３２とが設けられている。アンテナ部３２は、回路基板３１の端部に設けられており、第１筐体２の端部２ｂの内部に位置する。
【００２５】
第２筐体３の内部には、メイン表示部２１の周囲及び背面を保持するメイン表示部ホルダ４１と、メイン表示部ホルダ４１の背面に沿って設けられ、メイン表示部２１及びメイン表示部ホルダ４１を構造的な強度面で補強するメイン表示部フレーム４２と、サブ表示部２２の周囲及び背面を保持するサブ表示部ホルダ５１と、が設けられている。メイン表示部ホルダ４１及びサブ表示ホルダ５１には、例えば非導電性の合成樹脂が用いられ、メイン表示部フレーム４２には、例えば金属が用いられる。なお、メイン表示部ホルダ４１及びメイン表示部フレーム４２により、第１表示部の背面が当接する基体が構成される。
【００２６】
図４に示すように、メイン表示部２１、メイン表示部ホルダ４１、メイン表示部フレーム４２は、閉状態においてアンテナ部３２と重ならない位置に設けられている。サブ表示部２２、サブ表示部ホルダ５１は、その開閉側の端部２２ａ、５１ａがアンテナ部３２の筐体連結側の端部３２ａと閉状態において重なる位置に設けられている。なお、サブ表示ホルダ５１は、アンテナ部３２と重なる位置でもサブ表示部２２を保持している。
【００２７】
サブ表示部２２及びサブ表示ホルダ５１は、それぞれ開閉側の端部２２ａ、５１ａが第２筐体の背面側から見て面取りされ、一方、アンテナ部３２は、開閉側の（背面側から見て第１筐体の外側に面する）端部３２ｂがサブ表示部２２及びサブ表示部ホルダ５１の端部２２ａ、５１ａを囲む円弧状になるように形成されている。なお、アンテナ部の詳細については後述する。
【００２８】
サブ表示部ホルダ５１の筐体連結側には、筐体連結側に突出する舌片５１ｂが設けられ、当該舌片５１ｂ上（第２筐体３の背面側）には、サブ表示部２２の通電制御等の所定の制御を行うための駆動部５２と、駆動部５２に接続され、押圧操作に応じて接点の開閉がなされる押圧スイッチ５３とが設けられている。駆動部５２は例えばＩＣによって構成される。押圧スイッチ５３上には押しボタン２３が配置されており、押しボタン２３の押し込み操作により、押圧スイッチ５３は押圧される。
【００２９】
図５は、第２筐体３の内部構成の一部を示す分解斜視図である。図５にも示すように、メイン表示部フレーム４２の背面には、絶縁シート４３と、メイン表示部２１の通電制御等の所定の制御を行うための回路基板４４とが設けられている。絶縁シート４３及び回路基板４４は、開閉側に切り欠き部４３ａ、４４ａが設けられており、サブ表示部ホルダ５１は、切り欠きにより形成された空所を介して、背面の半分以上がメイン表示部フレーム４２の背面に当接するように配置されている。なお、当該当接する背面同士は、両面テープ等の接合部材により接合されてもよいし、接合されなくてもよい。
【００３０】
メイン表示フレーム４２には、サブ表示部ホルダ５１が当接する側方の位置に凸部４２ａが設けられ、凸部４２ａが絶縁シート４３の孔部４３ｂを介して回路基板４４に接触することにより、回路基板４４は電気的に導通される。
【００３１】
図６、図７は、第１筐体２内部の一部の構成を示す分解斜視図である。図６では、紙面左側が第１筐体２の連結側、紙面上側が第１筐体２の背面側であり、図７では、図６と左右、上下を逆にしている。
【００３２】
回路基板３１の正面側（紙面下側）には高周波回路６１等の各種の回路が配置され、その上には各回路から放出される又は外部から侵入する電磁波を遮断するためのシールドケース（シールド体）６２が被せられる。さらに、シールドケース６２上にはフレキシブル配線板７１が配置される。
【００３３】
シールドケース６２は、プレート部６２ａと、プレート部の周囲や内部に設けられてプレート部を区画する隔壁６２ｂと、マイクロフォン（電気／音響変換手段。以下、単に「マイク」という。）６３を保持するためのマイクホルダ６２ｃと、マイクホルダ６２ｃに隣接して設けられたネジボス６２ｄとを備えている。
【００３４】
回路基板３１とシールドケース６２とは、ネジ５００を回路基板３１の背面側から孔部３１ａを介してネジボス６２ｄに螺着することにより固定される。また、正面側ケース２ｃと背面側ケース２ｄとは、正面側ケース２ｃの裏側に設けられたネジボス２ｅに、背面側ケース２ｄを貫通するネジ５０１を螺着することにより固定される。回路基板３１及びシールドケース６２には、ネジボス２ｅが嵌め込まれる切り欠き部３１ｂ、６２ｅが設けられており、回路基板３１及びシールドケース６２は、正面側ケース２ｃと背面側ケース２ｄとを固定することによっても互いに固定される。なお、シールドケース６２は、樹脂で成形された上で、表面にメッキ処理が施されており、導電性を有している。そして、シールドケース６２は回路基板３１のグランドラインに導通状態で固定される。
【００３５】
図８（ａ）は、第１筐体２の正面側（図６の紙面下側）からマイクホルダ６２ｃ及びマイク６３を見た図、図８（ｂ）は、第１筐体２の背面側からマイクホルダ６２ｃ及びマイク６３を見た図、図８（ｃ）は、回路基板３１のマイクホルダ部６２ｃと対向する位置を見た図である。
【００３６】
マイク６３は、集音部６３ａ、電極部６３ｂをそれぞれ端面に有する円柱状に構成されている。一方、マイクホルダ６２ｃは、マイク６３を受け入れ可能な大きさの円筒状に形成された壁部６２ｈを有している。壁部６２ｈは隔壁６２ｂと連続し、厚さ及び高さも隔壁６２ｂと略同じである（図６参照）。なお、隔壁６２ｂは、回路基板３１の各回路を互いに隔離するために、あるいはシールドケース６２の構造的な強度を補強する目的で設けられるものである。
【００３７】
マイク６３は、ゴム等の弾性部材によって形成されたパッキン５０５を装着したうえで、集音部６３ａ側からマイクホルダ６２ｃに嵌め込まれ、マイクホルダ６２ｃに固定される。さらに、上述のように回路基板３１及びシールドケース６２が互いに固定されることにより、マイク６３は振動して音声を電気信号に変換する振動板を有する集音部６３ａ側のシールドケース６２のプレート部６２ａと電極部６３ｂ側の回路基板３１とに挟まれて固定される。なお、パッキン５０５を装着せずに、マイク６３を直接にマイクホルダ６２ｃに嵌め込んで固定できるようにマイク６３の外径、マイクホルダ６２ｃの内径を設定してもよい。集音部６３ａとプレート部６２ａとの間にゴム等の弾性部材を配置してもよい。
【００３８】
シールドケース６２のマイクホルダ６２ｃ内のプレート部６２ａには、マイク６３の外径よりも小さい内径の開口部８１が設けられている。なお、開口部８１は、マイク６３を集音部側から支持可能であれば、形状、大きさを適宜に設定してよい。
【００３９】
マイク６３の電極部６３ｂには、当該電極部６３ｂの中心に第１の接点６３ｃ、第１の接点６３ｃから距離ｒだけ離れた位置に第２の接点６３ｄが設けられている。一方、回路基板３１には、マイクホルダ６２ｃと対向する位置の中心に第３の接点８２が、第３の接点８２を中心として、半径ｒの円周上に第４の接点８３が設けられている。回路基板３１とシールドケース６２によりマイク６３を挟み込むと、第１の接点６３ｃは第３の接点８２と、第２の接点６３ｄは第４の接点８３と接触する。なお、第４の接点は、第３の接点から距離ｒ分離してあれば、円周状につながっておらずともよい場合がある。円柱状で示したマイク６３が正四角柱等、第３の接点に対して回転対称の形状であれば、マイクをマイクホルダに嵌め込み可能な向きそれぞれに対応して、第２の接点と対向する位置に第４の接点を設けておけばよい。これは結果的に、半径ｒの円周上に第４の接点が設けられることに違いはない。
【００４０】
図９は操作部１１を示す平面図、図１０は図９のＸ−Ｘ線における断面図である。なお、図１０では、シールドケース６２から上側のみを示している。
【００４１】
図１０に示すように、フレキシブル配線板７１上には、テンキーボタン１１ａ等の操作部１１のキーに対応して配置され、押圧操作に応じて接点の開閉がなされる押圧スイッチ９１と、操作部１１のキーを照明するための発光素子９２と、が配置される。その上には、操作部１１のキーを有するキーシート１０１と、正面側カバー２ｂとが配置される。なお、テンキーボタン１１ａは、例えば光が透過可能な樹脂によって形成される。
【００４２】
フレキシブル配線板７１、キーシート１０１及び上部カバー２ｂには、シールドケース６２の開口部８１に対応する位置にそれぞれ開口部９３、１０２及び１２が設けられる。上部ケース２ｂには、開口部１２の縁部からキーシート１０１側に筒状に延びてキーシート１０２の開口部１０２に挿入される壁部２ｈが設けられている。壁部２ｈは、開口部１２の全周に亘って設けられていてもよいし、発光素子９２が配置されている側だけ設けられていてもよい。
【００４３】
図９に示すように、テンキー１１ａは、縦に３列になるように配列されており、発光素子９２は各列の間に配置されている。また、発光素子９２は、縦方向に関し、テンキー１１ａの間に一つ置きに配置されている。各４つのテンキー１１ａ間の位置のうち、発光素子９２が配置されなかった位置の一つには、開口部１２が設けられている。
【００４４】
図１１に示すように、フレキシブル配線板７１は、シールドケース６２の外方に突出する舌片７１ａと、当該舌片７１ａに設けられた接続部１１２とを備えている。舌片７１ａが折り返されて、接続部１１２と回路基板３１上に設けられた接続部１１１とが接続されることにより、フレキシブル配線板７１と回路基板３１とは電気的に接続される。
【００４５】
図１２に示すように、回路基板３１の背面側（紙面上側）には、カメラモジュール（電子部品）１２１と、フラッシュ用の発光部（電子部品）１２２とが設けられる。カメラモジュール１２１及び発光部１２２には、フレキシブル配線板７１の端部に設けられた舌片７１ｂが折り返されて電気的に接続され、カメラモジュール１２１及び発光部１２２はフレキシブル配線板７１の回路又はフレキシブル配線板を介して他の基板の回路により制御される。
【００４６】
図１３（ａ）はアンテナ部３２を図３と同一方向から見た斜視図、図１３（ｂ）はアンテナ部３２を第１筐体２の開閉側のやや上方から見た図である。アンテナ部３２は、回路基板３１に取り付けられるベース部１３１と、ベース部に配置されたアンテナ素子１３２と、アンテナ素子１３２に給電するための給電端子１３３とを備えている。
【００４７】
ベース部１３１は、例えば樹脂等の非導電性部材で形成され、第１筐体２の端部２ｂ（図１参照）の内壁に対向する曲面１３１ａと、曲面１３１ａの内側に設けられたフレーム部１３１ｂとを有している。曲面１３１ａは、例えば、第１筐体２の背面側の方向から開閉側の方向まで面し、かつ、背面側から見て開閉側に凸状になる曲面として形成され、シールドケース６２の外側に配置される。
【００４８】
フレーム部１３１ｂは、回路基板３１の背面及び開閉側端部と当接するように形成されており、回路基板３１の背面と対向する位置には、給電端子１３３が設けられている。給電端子１３３は回路基板３１の背面側に設けられた給電端子１３４（図６参照）と電気的に接続される。
【００４９】
アンテナ素子１３２は、リン青銅等の板金が所定のパターン形状に形成されたものであり、曲面１３１ａの全面に亘って張り巡らされるように設けられている。なお、アンテナ素子１３２は、曲面１３１ａの全面に亘って配置され、第１筐体２の正面側から見たアンテナ素子１３２の投影部はアンテナ部３２の投影部に略一致するため、図３及び図４の説明におけるアンテナ部３２の配置についての記載は、アンテナ素子１３２の配置についての記載とみなしてよい。
【００５０】
図１４は、携帯電話機１の信号処理系の構成の一例を示すブロック図である。携帯電話機１は、ＣＰＵ１４１、メモリ１４２、通信処理部１４３、アンテナ素子１３２、音声処理部１４４、マイク６３、スピーカ１４５、開閉検出部１４６、押圧スイッチ９１、５３、メイン表示部２１、サブ表示部２２、駆動部１４７、５２を備えている。
【００５１】
ＣＰＵ１４１及びメモリ１４２は例えば回路基板３１に設けられるＩＣとして構成され、各種手段からの信号に基づいて所定の演算を行い、各種手段の制御を実行する。
【００５２】
通信処理部１４３は、高周波回路６１を含んで構成され、電波を利用した無線通信を行うために、ＣＰＵ１４１で処理された音声データ、画像データ等の各種データを変調して、アンテナ素子１３２を介して送信する。また、通信処理部１４３は、アンテナ素子１３２を介して受信した信号を復調してＣＰＵ１４１に出力する。
【００５３】
音声処理部１４４は、ＣＰＵ１４１からの音声データを音声信号に変換してスピーカ１４３に出力し、又、マイク６３からの音声信号を音声データに変換してＣＰＵ１４１に出力する。
【００５４】
開閉検出部１４６は、例えば、第１筐体２と第２筐体３との角度が所定以上になったときにＣＰＵ１４１にオン信号を出力するスイッチとして構成される。
【００５５】
駆動部１４７、５２は、ＣＰＵ１４１からの信号に基づいてそれぞれメイン表示部２１、サブ表示部２２の制御を行う。駆動部１４７は、例えば回路基板４４に設けられるＩＣによって構成され、閉状態にてアンテナ素子１３２と重ならない位置に設けられる。
【００５６】
以上に述べた携帯電話機１によれば、マイク６３が基板３１及びシールドケース６２に挟まれて固定されるので、基板３１及びシールドケース６２が互いに対向する範囲内であればマイクを配置することができ、また、従来のようにシールドケースを避けてマイクを配置する必要もない。換言すれば、マイクの配置位置の自由度が向上する。携帯端末のように小型化された機器では、筐体内の限られたスペースを各部品に配分するから、マイクの配置位置の自由度の向上により、他の部品の配置位置の自由度も向上する。これにより、例えば、従来はマイクを配置していた場所をアンテナの配置にあてがうことができる等、アンテナを内蔵した携帯端末の小型化を図ることもできる。
【００５７】
マイク６３は、シールドケース６２に設けられたマイクホルダ６２ｃの壁部６２ｈによって囲まれ、この壁部６２ｈにもシールドケース６２のメッキが施されているため、マイク６３にノイズが侵入することが防止される。
【００５８】
シールドケース６２は、ネジにより基板３１に固定されるので、シールドケース６２と基板３１のグランドラインとの接触圧を高くしてシールド効果を高めることが可能である。また、当該ネジ止めにおいては、マイクホルダ６２ｃに隣接するネジボス６２ｄを利用するため、マイク６３の振動は基板３１及びシールドケース６２の全体に吸収され、マイク６３近傍で局地的に大きな振動が生じることが抑えられる。このため振動によるシールド効果の低下が抑えられる。
【００５９】
マイク６３の向きに関わらず、第１の接点６３ｃは第３の接点８２と、第２の接点６３ｄは第４の接点８３と接触するから、マイク６３を取り付ける際に第４の接点８３の円周方向の回転ずれを全く気にせず、確実に導通させることができる。
【００６０】
従来のようにシールドケース６２とマイク６３とが重なることを避けなくてよいから、シールドケース６２を広い範囲に亘って設けることができる。このため、押圧スイッチ９１が複数配置されたフレキシブル配線板をシールドケース６２上に設けることができる。さらに、シールドケース６２が基板３１の広範囲にわたって取り付けられるようになるため、全体の強度が均等になり、ねじれ強度などが向上する。
【００６１】
発光素子９２の配列と操作部１１のキーの配列との関係の規則性を保持しつつ、発光素子９２の非配置位置を設定しているから、開口部１２の配置スペースが確保される一方で、各キーの照明量のばらつきが抑えられる。
【００６２】
上部カバー２ｂには、開口部１２と、キーシート１０１の開口部１０２に挿入される壁部２ｈとが設けられるから、外部からの音をマイク６３に導くための音道が確保されるとともに、テンキーボタン１１ａなどを光らせるための導光材も兼用しているキーシート１０１が開口部１２から外部へ露出しないため、発光素子９２の光が開口部１２から外部へ漏れることが抑えられる。
【００６３】
舌片７１ａが折り返されて、基板３１のシールドケース６２に覆われる部分にて接続部１１２と接続部１１１とが接続されることにより、フレキシブル配線板７１と基板３１とが電気的に接続されるから、フレキシブル配線板７１の導通手段の面積縮小により、フレキシブル配線板７１がシールドケース６２上にてデバイスの載せ易いフラットな面を広くとることが可能であり、また、シールドケース６２を接続部１１２の脱落防止に利用可能である。
【００６４】
舌片７１ｂが折り返されてカメラモジュール１２１に電気的に接続されるから、従来に比較してデッドスペースを縮小できる。すなわち、従来はカメラモジュール専用のフレキシブル配線板及び当該配線板を他の基板に接続するコネクタが設けられており、当該配線板及びコネクタ上はデッドスペースとなっていた。しかし、携帯電話機１では、カメラモジュール用の配線板が基板３１を挟んで反対側のフレキシブル配線板７１と兼用されるため、上記のデッドスペースを縮小可能である。このため、例えば、従来はカメラモジュール１２１の接続を行うコネクタが配されてデッドスペースとなるはずであったカメラモジュール１２１に隣接する位置に、発光部１２２を設けることができる。
【００６５】
シールドケース６２は基板３２と固定され、さらに、ネジボス２ｅが嵌め込まれる切り欠き部６２ｅを利用して、正面側ケース２ｃ及び背面側ケース２ｄにも固定されるため、シールドケース６２によって筐体のねじれ強度等の構造的な強度が補強される。上述のように、従来のようにシールドケース６２とマイク６３とが重なることを避けなくてよいから、シールドケース６２を従来より広くして、強度を高めることもできる。また、ネジボス２ｅを利用してシールドケース６２の位置決めができるから、作業性の向上を図ることもできる。
【００６６】
本発明の無線通信端末は、以上の実施形態に限定されず、種々の態様で実施してよい。
【００６７】
シールド体は、マイクロフォンを基板との間で挟むことができれば、形状及び大きさは問わない。例えば、隔壁６２ｂが設けられない板状のものも含む。また、従来のシールド体に比較して小さいものであっても、従来に比較してマイクの配置位置の自由度が向上していることに変わりはない。
また、電気／音響変換手段の例としてマイクを用いて本発明の説明を行ったが、電気信号と音響とを変換するものであればよい。例えば、シールドケースにスピーカホルダを設け、シールド側の放音部と電極部側の基板とでスピーカを挟んで固定するよう本発明を適用しても同様の効果を有することは言うまでもない。
【図面の簡単な説明】
【００６８】
【図１】本発明を適用した携帯電話機の開状態を示す外観斜視図である。
【図２】本発明を適用した携帯電話機の閉状態を示す外観斜視図である。
【図３】本発明を適用した携帯電話機の内部構成を閉状態で示す斜視図である。
【図４】本発明を適用した携帯電話機の内部構成を閉状態で示す平面図である。
【図５】本発明を適用した携帯電話機の第２筐体内部の構成を示す分解斜視図である。
【図６】本発明を適用した携帯電話機の第１筐体内部の構成を示す分解斜視図である。
【図７】本発明を適用した携帯電話機の第１筐体内部の構成を示す分解斜視図である。
【図８】本発明を適用した携帯電話機のマイクロフォン近傍を示す平面図である。
【図９】本発明を適用した携帯電話機の操作部を示す平面図である。
【図１０】本発明を適用した携帯電話機の操作部を示す断面図である。
【図１１】本発明を適用した携帯電話機のフレキシブル配線板の導通手段を示す側面図である。
【図１２】本発明を適用した携帯電話機のカメラモジュールを示す斜視図である。
【図１３】本発明を適用した携帯電話機のアンテナ部を示す図である。
【図１４】本発明を適用した携帯電話機の構成を示すブロック図である。
【符号の説明】
【００６９】
１…携帯電話機（電子機器）、６１…高周波回路、３１…基板、６２…シールド体、６３…マイクロフォン、６３ａ…集音部（放音部）、６３ｂ…電極部、８１…シールド体開口部。
【図１】
2006067524.tif 000003
【図２】
2006067524.tif 000004
【図３】
2006067524.tif 000005
【図４】
2006067524.tif 000006
【図５】
2006067524.tif 000007
【図６】
2006067524.tif 000008
【図７】
2006067524.tif 000009
【図８】
2006067524.tif 000010
【図９】
2006067524.tif 000011
【図１０】
2006067524.tif 000012
【図１１】
2006067524.tif 000013
【図１２】
2006067524.tif 000014
【図１３】
2006067524.tif 000015
【図１４】
2006067524.tif 000016